【手続補正書】
【提出日】平成16年3月10日(2004.3.10)
【手続補正１】
【補正対象書類名】明細書
【補正対象項目名】発明の名称
【補正方法】変更
【補正の内容】
【発明の名称】信用格付方法、信用格付装置、プログラム及び信用格付システム
【手続補正２】
【補正対象書類名】明細書
【補正対象項目名】特許請求の範囲
【補正方法】変更
【補正の内容】
【特許請求の範囲】
【請求項１】
コンピュータにより、貸借対照表、損益計算書を含む企業の財務諸表を分析して該企業の信用格付を行う信用格付方法であって、
入力された前記財務諸表上の数値、前記貸借対照表及び前記損益計算書上の部分的な実質数値を表す財務追加情報、並びに、リース契約により使用しているリース物件のうち会計処理が簿外となっているオフバランスリース資産に関するオフバランス追加情報をメモリに記憶し、
前記メモリに記憶されたオフバランス追加情報に欠落があるか否かを判断し、欠落があると判断したときに、前記財務諸表上の数値から当該欠落部の数値をオフバランス推定値として算出して前記メモリに記憶し、
前記メモリに記憶された貸借対照表上の数値、オフバランス追加情報乃至オフバランス推定値に基づいて、前記オフバランスリース資産を前記貸借対照表における資産として加味したオフバランス貸借対照表上の数値を演算して前記メモリに記憶し、
前記メモリに記憶されたオフバランス貸借対照表上の数値及び財務追加情報に基づいて、前記オフバランス貸借対照表の不健全資産を排除した修正貸借対照表上の数値を演算して前記メモリに記憶し、
前記メモリに記憶された貸借対照表、損益計算書及びオフバランス貸借対照表上の数値から企業の表面的財務体質を多面的に表す複数の第１財務指標と、前記メモリに記憶された貸借対照表、損益計算書及び修正貸借対照表上の数値から企業の実質的財務体質を多面的に表す複数の第２財務指標とを演算して前記メモリに記憶し、
前記メモリに記憶された第１及び第２財務指標を前記メモリに予め記憶され前記第１及び第２財務指標を構成する複数の指標毎に重み付けがなされた第１評点基準に従って評点して加算した加算値が、前記メモリに予め記憶され企業の信用の程度を複数に区分した信用区分のいずれに属するかを判定する、
ステップを含む信用格付方法。
【請求項２】
前記メモリに記憶された修正貸借対照表上の数値と財務追加情報とに基づいて、会計処理外となっている資産を加味した会計処理外資産加味貸借対照表上の数値を演算して前記メモリに記憶するステップを更に含み、前記第１財務指標と前記第２財務指標とを演算するステップでは、前記メモリに記憶された貸借対照表、修正貸借対照表及び損益計算書上の数値並びに会計処理外資産加味貸借対照表上の数値に基づいて前記第２財務指標を演算することを特徴とする請求項１に記載の信用格付方法。
【請求項３】
前記メモリに記憶された貸借対照表、修正貸借対照表及び損益計算書上の数値並びに会計処理外資産加味貸借対照表上の数値に基づいて、前記貸借対照表及び前記損益計算書上の数値の実体的数値からの乖離の程度を表す第３財務指標を演算し、予め定められた第２評点基準に従って前記第３財務指標を評点するステップを更に含み、前記信用区分のいずれかに属するかを判定するステップでは、前記加算値から前記第２評点基準に従って評点された第３財務指標の評点値を減算した値が、前記メモリに予め記憶され企業の信用の程度を複数に区分した信用区分のいずれに属するかを判定することを特徴とする請求項２に記載の信用格付方法。
【請求項４】
前記オフバランス貸借対照表は、前記オフバランスリース資産に見合うように、前記オフバランスリース資産に関するリース料のうち未払金を負債として加味したことを特徴とする請求項１乃至請求項３のいずれか１項に記載の信用格付方法。
【請求項５】
前記オフバランス貸借対照表は、前記リース料のうち、費用化の期限が決算日の翌日から起算して１年以内に到来するものを流動負債に、費用化の期限が決算日の翌日から起算して１年を超えて到来するものを固定負債に加味したことを特徴とする請求項４に記載の信用格付方法。
【請求項６】
前記オフバランス追加情報のうち前記オフバランスリース資産の額が未入力のときに、前記オフバランス追加情報に含まれる支払リース料の額についての情報又は販売費・一般管理費明細及び製造原価明細上のうち賃借料・リース料の額についての情報に基づいて、前記オフバランスリース資産の額を推定することを特徴とする請求項１乃至請求項５のいずれか１項に記載の信用格付方法。
【請求項７】
前記オフバランス追加情報は割賦契約による物件の割賦買掛金の額の情報及び手形で購入した物件の支払手形の額の情報を更に含み、前記オフバランス貸借対照表は前記割賦買掛金の額及び前記支払手形の額を負債の内訳として含むことを特徴とする請求項１乃至請求項６のいずれか１項に記載の信用格付方法。
【請求項８】
前記修正貸借対照表は、少なくとも預かっている消費税、源泉所得税及び社会保険料のうちいずれかの滞納分を流動資産の現金・預金から固定資産性の預金として分離したことを特徴とする請求項１乃至請求項７のいずれか１項に記載の信用格付方法。
【請求項９】
前記会計処理外資産加味貸借対照表は、少なくとも預かっている消費税、源泉所得税及び社会保険料のうちいずれかの滞納分を流動資産の現金・預金から固定資産に組み入れたことを特徴とする請求項２乃至請求項７のいずれか１項に記載の信用格付方法。
【請求項１０】
前記滞納分が前記分離後の現金・預金の額を超えるときに該超えた額を借入金に準ずる負債として演算し、該借入金に準ずる負債に基づいて前記第２及び第３財務指標を演算することを特徴とする請求項８又は請求項９に記載の信用格付方法。
【請求項１１】
貸借対照表、損益計算書を含む企業の財務諸表を分析して該企業の信用格付を行う信用格付装置において、
入力された前記財務諸表上の数値、前記貸借対照表及び前記損益計算書上の部分的な実質数値を表す財務追加情報、並びに、リース契約により使用しているリース物件のうち会計処理が簿外となっているオフバランスリース資産に関するオフバランス追加情報を記憶する記憶手段と、
前記記憶手段に記憶されたオフバランス追加情報に欠落があるか否かを判断し、欠落があると判断したときに、前記財務諸表上の数値から当該欠落部の数値をオフバランス推定値として算出するオフバランス推定値算出手段と、
前記記憶手段に記憶された貸借対照表上の数値、オフバランス追加情報乃至前記オフバランス推定値算出手段で算出されたオフバランス推定値に基づいて、前記オフバランスリース資産を前記貸借対照表における資産として加味したオフバランス貸借対照表上の数値を演算するオフバランス貸借対照表数値演算手段と、
前記オフバランス貸借対照表数値演算手段で演算されたオフバランス貸借対照表上の数値及び前記記憶手段に記憶された財務追加情報に基づいて、前記オフバランス貸借対照表の不健全資産を排除した修正貸借対照表上の数値を演算する修正貸借対照表数値演算手段と、
前記記憶手段に記憶された貸借対照表及び損益計算書上の数値、並びに、前記オフバランス貸借対照表数値演算手段で演算されたオフバランス貸借対照表上の数値から企業の表面的財務体質を多面的に表す複数の第１財務指標と、前記記憶手段に記憶された貸借対照表及び損益計算書上の数値、並びに、前記修正貸借対照表数値演算手段で演算された修正貸借対照表上の数値から企業の実質的財務体質を多面的に表す複数の第２財務指標とを演算する指標演算手段と、
前記指標演算手段で演算された第１及び第２財務指標を前記記憶手段に予め記憶され前記第１及び第２財務指標を構成する複数の指標毎に重み付けがなされた第１評点基準に従って評点して加算した加算値が、前記記憶手段に予め記憶され企業の信用の程度を複数に区分した信用区分のいずれに属するかを判定する判定手段と、
を備えた信用格付装置。
【請求項１２】
貸借対照表、損益計算書を含む企業の財務諸表を分析して該企業の信用格付を行うためのプログラムであって、コンピュータを、
入力された前記財務諸表上の数値、前記貸借対照表及び前記損益計算書上の部分的な実質数値を表す財務追加情報、並びに、リース契約により使用しているリース物件のうち会計処理が簿外となっているオフバランスリース資産に関するオフバランス追加情報を記憶する記憶手段、
前記記憶手段に記憶されたオフバランス追加情報に欠落があるか否かを判断し、欠落があると判断したときに、前記財務諸表上の数値から当該欠落部の数値をオフバランス推定値として算出するオフバランス推定値算出手段、
前記記憶手段に記憶された貸借対照表上の数値、オフバランス追加情報乃至前記オフバランス推定値算出手段で算出されたオフバランス推定値に基づいて、前記オフバランスリース資産を前記貸借対照表における資産として加味したオフバランス貸借対照表上の数値を演算するオフバランス貸借対照表数値演算手段、
前記オフバランス貸借対照表数値演算手段で演算されたオフバランス貸借対照表上の数値及び前記記憶手段に記憶された財務追加情報に基づいて、前記オフバランス貸借対照表の不健全資産を排除した修正貸借対照表上の数値を演算する修正貸借対照表数値演算手段、
前記記憶手段に記憶された貸借対照表及び損益計算書上の数値、並びに、前記オフバランス貸借対照表数値演算手段で演算されたオフバランス貸借対照表上の数値から企業の表面的財務体質を多面的に表す複数の第１財務指標と、前記記憶手段に記憶された貸借対照表及び損益計算書上の数値、並びに、前記修正貸借対照表数値演算手段で演算された修正貸借対照表上の数値から企業の実質的財務体質を多面的に表す複数の第２財務指標とを演算する指標演算手段、
前記指標演算手段で演算された第１及び第２財務指標を前記記憶手段に予め記憶され前記第１及び第２財務指標を構成する複数の指標毎に重み付けがなされた第１評点基準に従って評点して加算した加算値が、前記記憶手段に予め記憶され企業の信用の程度を複数に区分した信用区分のいずれに属するかを判定する判定手段、
として機能させるためのプログラム。
【請求項１３】
ネットワークを介してクライアント端末を信用格付サーバに接続し、貸借対照表、損益計算書を含む企業の財務諸表上の数値、前記貸借対照表及び前記損益計算書上の部分的な実質数値を表す財務追加情報、並びに、リース契約により使用しているリース物件のうち会計処理が簿外となっているオフバランスリース資産に関するオフバランス追加情報を前記クライアント端末から前記信用格付サーバに送信することにより、企業の信用格付情報を前記信用格付サーバから前記クライアント端末に送信する信用格付システムであって、
前記信用格付サーバは、
受信した前記財務諸表上の数値、前記財務追加情報及び前記オフバランス追加情報を記憶する記憶手段と、
前記クライアント端末から受信した格付依頼情報に基づいて企業の信用格付を行う信用格付手段と、
前記信用格付手段で格付された情報を前記クライアント端末に送信する信用格付情報提供手段と、
を備えており、
前記信用格付手段は、
前記記憶手段に記憶されたオフバランス追加情報に欠落があるか否かを判断し、欠落があると判断したときに、前記財務諸表上の数値から当該欠落部の数値をオフバランス推定値として算出するオフバランス推定値算出手段と、
前記記憶手段に記憶された貸借対照表上の数値、オフバランス追加情報乃至前記オフバランス推定値算出手段で算出されたオフバランス推定値に基づいて、前記オフバランスリース資産を前記貸借対照表における資産として加味したオフバランス貸借対照表上の数値を演算するオフバランス貸借対照表数値演算手段と、
前記オフバランス貸借対照表数値演算手段で演算されたオフバランス貸借対照表上の数値及び前記記憶手段に記憶された財務追加情報に基づいて、前記オフバランス貸借対照表の不健全資産を排除した修正貸借対照表上の数値を演算する修正貸借対照表数値演算手段と、
前記記憶手段に記憶された貸借対照表及び損益計算書上の数値、並びに、前記オフバランス貸借対照表数値演算手段で演算されたオフバランス貸借対照表上の数値から企業の表面的財務体質を多面的に表す複数の第１財務指標と、前記記憶手段に記憶された貸借対照表及び損益計算書上の数値、並びに、前記修正貸借対照表数値演算手段で演算された修正貸借対照表上の数値から企業の実質的財務体質を多面的に表す複数の第２財務指標とを演算する指標演算手段と、
前記指標演算手段で演算された第１及び第２財務指標を前記記憶手段に予め記憶され前記第１及び第２財務指標を構成する複数の指標毎に重み付けがなされた第１評点基準に従って評点して加算した加算値が、前記記憶手段に予め記憶され企業の信用の程度を複数に区分した信用区分のいずれに属するかを判定する判定手段と、
備えたことを特徴とする信用格付システム。
【手続補正３】
【補正対象書類名】明細書
【補正対象項目名】０００１
【補正方法】変更
【補正の内容】
【０００１】
【発明の属する技術分野】
本発明は信用格付方法、信用格付装置、プログラム及び信用格付システムに係り、特に、企業の財務諸表を分析して該企業の信用格付を行う信用格付方法、該信用格付装置、該プログラム及び該信用格付システムに関する。


【手続補正４】
【補正対象書類名】明細書
【補正対象項目名】０００８
【補正方法】変更
【補正の内容】
【０００８】
【課題を解決するための手段】
上記課題を解決するために、本発明の第１の態様は、コンピュータにより、貸借対照表、損益計算書を含む企業の財務諸表を分析して該企業の信用格付を行う信用格付方法であって、入力された前記財務諸表上の数値、前記貸借対照表及び前記損益計算書上の部分的な実質数値を表す財務追加情報、並びに、リース契約により使用しているリース物件のうち会計処理が簿外となっているオフバランスリース資産に関するオフバランス追加情報をメモリに記憶し、前記メモリに記憶されたオフバランス追加情報に欠落があるか否かを判断し、欠落があると判断したときに、前記財務諸表上の数値から当該欠落部の数値をオフバランス推定値として算出して前記メモリに記憶し、前記メモリに記憶された貸借対照表上の数値、オフバランス追加情報乃至オフバランス推定値に基づいて、前記オフバランスリース資産を前記貸借対照表における資産として加味したオフバランス貸借対照表上の数値を演算して前記メモリに記憶し、前記メモリに記憶されたオフバランス貸借対照表上の数値及び財務追加情報に基づいて、前記オフバランス貸借対照表の不健全資産を排除した修正貸借対照表上の数値を演算して前記メモリに記憶し、前記メモリに記憶された貸借対照表、損益計算書及びオフバランス貸借対照表上の数値から企業の表面的財務体質を多面的に表す複数の第１財務指標と、前記メモリに記憶された貸借対照表、損益計算書及び修正貸借対照表上の数値から企業の実質的財務体質を多面的に表す複数の第２財務指標とを演算して前記メモリに記憶し、前記メモリに記憶された第１及び第２財務指標を前記メモリに予め記憶され前記第１及び第２財務指標を構成する複数の指標毎に重み付けがなされた第１評点基準に従って評点して加算した加算値が、前記メモリに予め記憶され企業の信用の程度を複数に区分した信用区分のいずれに属するかを判定する、ステップを含む。


【手続補正５】
【補正対象書類名】明細書
【補正対象項目名】００１０
【補正方法】変更
【補正の内容】
【００１０】
本態様において、メモリに記憶された修正貸借対照表上の数値と財務追加情報とに基づいて、会計処理外となっている資産を加味した会計処理外資産加味貸借対照表上の数値を演算してメモリに記憶するステップを更に含み、第１財務指標と第２財務指標とを演算するステップでは、メモリに記憶された貸借対照表、修正貸借対照表及び損益計算書上の数値並びに会計処理外資産加味貸借対照表上の数値に基づいて第２財務指標を演算すれば、会計処理外資産加味貸借対照表上の数値を踏まえて第２財務指標を演算することができるので、より実体を反映した信用格付を行うことが可能となる。このとき、メモリに記憶された貸借対照表、修正貸借対照表及び損益計算書上の数値並びに会計処理外資産加味貸借対照表上の数値に基づいて、貸借対照表及び損益計算書上の数値の実体的数値からの乖離の程度を表す第３財務指標を演算し、予め定められた第２評点基準に従って第３財務指標を評点するステップを更に含み、信用区分のいずれかに属するかを判定するステップでは、加算値から第２評点基準に従って評点された第３財務指標の評点値を減算した値が、メモリに予め記憶され企業の信用の程度を複数に区分した信用区分のいずれに属するかを判定すれば、貸借対照表及び損益計算書が実体から乖離した程度に応じて信用格付のための評点が減算され一層企業の実体を反映した評点となるので、精度の高い信用格付を行うことができる。


【手続補正６】
【補正対象書類名】明細書
【補正対象項目名】００１２
【補正方法】変更
【補正の内容】
【００１２】
また、本発明の第２の態様は、貸借対照表、損益計算書を含む企業の財務諸表を分析して該企業の信用格付を行う信用格付装置において、入力された前記財務諸表上の数値、前記貸借対照表及び前記損益計算書上の部分的な実質数値を表す財務追加情報、並びに、リース契約により使用しているリース物件のうち会計処理が簿外となっているオフバランスリース資産に関するオフバランス追加情報を記憶する記憶手段と、前記記憶手段に記憶されたオフバランス追加情報に欠落があるか否かを判断し、欠落があると判断したときに、前記財務諸表上の数値から当該欠落部の数値をオフバランス推定値として算出するオフバランス推定値算出手段と、前記記憶手段に記憶された貸借対照表上の数値、オフバランス追加情報乃至前記オフバランス推定値算出手段で算出されたオフバランス推定値に基づいて、前記オフバランスリース資産を前記貸借対照表における資産として加味したオフバランス貸借対照表上の数値を演算するオフバランス貸借対照表数値演算手段と、前記オフバランス貸借対照表数値演算手段で演算されたオフバランス貸借対照表上の数値及び前記記憶手段に記憶された財務追加情報に基づいて、前記オフバランス貸借対照表の不健全資産を排除した修正貸借対照表上の数値を演算する修正貸借対照表数値演算手段と、前記記憶手段に記憶された貸借対照表及び損益計算書上の数値、並びに、前記オフバランス貸借対照表数値演算手段で演算されたオフバランス貸借対照表上の数値から企業の表面的財務体質を多面的に表す複数の第１財務指標と、前記記憶手段に記憶された貸借対照表及び損益計算書上の数値、並びに、前記修正貸借対照表数値演算手段で演算された修正貸借対照表上の数値から企業の実質的財務体質を多面的に表す複数の第２財務指標とを演算する指標演算手段と、前記指標演算手段で演算された第１及び第２財務指標を前記記憶手段に予め記憶され前記第１及び第２財務指標を構成する複数の指標毎に重み付けがなされた第１評点基準に従って評点して加算した加算値が、前記記憶手段に予め記憶され企業の信用の程度を複数に区分した信用区分のいずれに属するかを判定する判定手段と、を備えている。更に、本発明の第３の態様は、貸借対照表、損益計算書を含む企業の財務諸表を分析して該企業の信用格付を行うためのプログラムであって、コンピュータを、入力された前記財務諸表上の数値、前記貸借対照表及び前記損益計算書上の部分的な実質数値を表す財務追加情報、並びに、リース契約により使用しているリース物件のうち会計処理が簿外となっているオフバランスリース資産に関するオフバランス追加情報を記憶する記憶手段、前記記憶手段に記憶されたオフバランス追加情報に欠落があるか否かを判断し、欠落があると判断したときに、前記財務諸表上の数値から当該欠落部の数値をオフバランス推定値として算出するオフバランス推定値算出手段、前記記憶手段に記憶された貸借対照表上の数値、オフバランス追加情報乃至前記オフバランス推定値算出手段で算出されたオフバランス推定値に基づいて、前記オフバランスリース資産を前記貸借対照表における資産として加味したオフバランス貸借対照表上の数値を演算するオフバランス貸借対照表数値演算手段、前記オフバランス貸借対照表数値演算手段で演算されたオフバランス貸借対照表上の数値及び前記記憶手段に記憶された財務追加情報に基づいて、前記オフバランス貸借対照表の不健全資産を排除した修正貸借対照表上の数値を演算する修正貸借対照表数値演算手段、前記記憶手段に記憶された貸借対照表及び損益計算書上の数値、並びに、前記オフバランス貸借対照表数値演算手段で演算されたオフバランス貸借対照表上の数値から企業の表面的財務体質を多面的に表す複数の第１財務指標と、前記記憶手段に記憶された貸借対照表及び損益計算書上の数値、並びに、前記修正貸借対照表数値演算手段で演算された修正貸借対照表上の数値から企業の実質的財務体質を多面的に表す複数の第２財務指標とを演算する指標演算手段、前記指標演算手段で演算された第１及び第２財務指標を前記記憶手段に予め記憶され前記第１及び第２財務指標を構成する複数の指標毎に重み付けがなされた第１評点基準に従って評点して加算した加算値が、前記記憶手段に予め記憶され企業の信用の程度を複数に区分した信用区分のいずれに属するかを判定する判定手段、として機能させるためのプログラムである。そして、本発明の第４の態様は、ネットワークを介してクライアント端末を信用格付サーバに接続し、貸借対照表、損益計算書を含む企業の財務諸表上の数値、前記貸借対照表及び前記損益計算書上の部分的な実質数値を表す財務追加情報、並びに、リース契約により使用しているリース物件のうち会計処理が簿外となっているオフバランスリース資産に関するオフバランス追加情報を前記クライアント端末から前記信用格付サーバに送信することにより、企業の信用格付情報を前記信用格付サーバから前記クライアント端末に送信する信用格付システムであって、前記信用格付サーバは、受信した前記財務諸表上の数値、前記財務追加情報及び前記オフバランス追加情報を記憶する記憶手段と、前記クライアント端末から受信した格付依頼情報に基づいて企業の信用格付を行う信用格付手段と、前記信用格付手段で格付された情報を前記クライアント端末に送信する信用格付情報提供手段と、を備えており、前記信用格付手段は、前記記憶手段に記憶されたオフバランス追加情報に欠落があるか否かを判断し、欠落があると判断したときに、前記財務諸表上の数値から当該欠落部の数値をオフバランス推定値として算出するオフバランス推定値算出手段と、前記記憶手段に記憶された貸借対照表上の数値、オフバランス追加情報乃至前記オフバランス推定値算出手段で算出されたオフバランス推定値に基づいて、前記オフバランスリース資産を前記貸借対照表における資産として加味したオフバランス貸借対照表上の数値を演算するオフバランス貸借対照表数値演算手段と、前記オフバランス貸借対照表数値演算手段で演算されたオフバランス貸借対照表上の数値及び前記記憶手段に記憶された財務追加情報に基づいて、前記オフバランス貸借対照表の不健全資産を排除した修正貸借対照表上の数値を演算する修正貸借対照表数値演算手段と、前記記憶手段に記憶された貸借対照表及び損益計算書上の数値、並びに、前記オフバランス貸借対照表数値演算手段で演算されたオフバランス貸借対照表上の数値から企業の表面的財務体質を多面的に表す複数の第１財務指標と、前記記憶手段に記憶された貸借対照表及び損益計算書上の数値、並びに、前記修正貸借対照表数値演算手段で演算された修正貸借対照表上の数値から企業の実質的財務体質を多面的に表す複数の第２財務指標とを演算する指標演算手段と、前記指標演算手段で演算された第１及び第２財務指標を前記記憶手段に予め記憶され前記第１及び第２財務指標を構成する複数の指標毎に重み付けがなされた第１評点基準に従って評点して加算した加算値が、前記記憶手段に予め記憶され企業の信用の程度を複数に区分した信用区分のいずれに属するかを判定する判定手段と、備えたことを特徴とする信用格付システムである。
【手続補正７】
【補正対象書類名】明細書
【補正対象項目名】００１５
【補正方法】変更
【補正の内容】
【００１５】
また、ネットワーク１０１には、各信用金庫の依頼に応じて企業の信用格付を行う企業信用格付サイト１１０が接続されている。企業信用格付サイト１１０は、企業信用格付サイト１１０外部からの不正アクセスに対して武装するためのファイアウォール１１１を備えている。ネットワーク１０１は、このファイアウォール１１１を介して、後述するように信用格付を行う、オフバランス推定値算出手段、オフバランス貸借対照表数値演算手段、修正貸借対照表数値演算手段、指標演算手段、判定手段、信用格付手段、信用格付情報提供手段及び信用格付サーバとしてのネットワークサーバ１１２に接続されている。ネットワークサーバ１１２は、企業信用格付サイト１１０内に張られたバス型のＬＡＮ１１４に接続されている。ＬＡＮ１１４には、各信用金庫から送信されたファイル情報及びネットワークサーバ１１２が演算した財務上の数値を格納するためのデータベースサーバ１１３が接続されている。


【手続補正８】
【補正対象書類名】明細書
【補正対象項目名】０１１１
【補正方法】変更
【補正の内容】
【０１１１】
以上のように、Ｂ／Ｓ上の数値とオフバランス追加情報とに基づいてオフバランス資産を加味したオフバランスＢ／Ｓ上の数値を演算し（ステップ４０３）、オフバランスＢ／Ｓ上の数値と財務追加情報とに基づいてオフバランスＢ／Ｓの不健全流動資産、不健全固定資産及び不健全繰延資産を排除した修正Ｂ／Ｓ上の数値を演算し（ステップ４０４）、修正Ｂ／Ｓ上の数値と財務追加情報とに基づいてオフバランス資産の外に会計処理が簿外となっている簿外資産を加味した簿外加味Ｂ／Ｓ上の数値を演算するようにした（ステップ４０６）ので、オフバランスＢ／Ｓ、修正Ｂ／Ｓ及び簿外加味Ｂ／Ｓには会計処理が簿外となっているオフバランス資産が反映され、修正Ｂ／Ｓ及び簿外加味Ｂ／Ｓでは不健全資産が排除され、簿外加味Ｂ／Ｓには更にオフバランス資産の外の簿外資産が反映されることから、Ｂ／Ｓ及びＰ／Ｌ等の財務情報のみを基礎とする場合よりも信用格付対象企業の財務情報を実体に則して把握することができると共に、これらのＢ／Ｓ、オフバランスＢ／Ｓ、修正Ｂ／Ｓ、簿外加味Ｂ／Ｓ及びＰ／Ｌ上の数値に基づいて信用格付対象企業の表面財務分析、実質財務分析及び粉飾等調整上の指標を演算し（ステップ４０８〜ステップ４１２）、表３に示した評点テーブルにより表面財務分析、実質財務分析及び粉飾等調整上の指標を評点して加算し、表４に示した信用区分で信用格付対象企業の信用格付を行うようにした（ステップ４１４）ので、信用格付対象企業の実体に沿った精度の高い信用格付を行うことができる。更に、本実施形態では、区分対象得点を財務分析得点及び債務情報得点のいずれか小さい方とした（ステップ６７２〜６７６）ので、信用格付対象企業の支払状況等についての形式的側面からの情報も加味して信用格付を行うことが可能である。


【手続補正９】
【補正対象書類名】明細書
【補正対象項目名】符号の説明
【補正方法】変更
【補正の内容】
【符号の説明】
１０１  ネットワーク
１０２、１０３  コンピュータ端末
１１０  企業信用格付サイト
１１２  ネットワークサーバ（オフバランス推定値算出手段、オフバランス貸借対照表数値演算手段、修正貸借対照表数値演算手段、指標演算手段、判定手段、信用格付手段、信用格付情報提供手段及び信用格付サーバ）
１１３  データベースサーバ